(57)【要約】【課題】光源ユニットがベースに旋回自在に取り付けられた照明装置において、光源ユニットの旋回に伴う電源配線の旋回を防止する。【解決手段】ベース１０は、第１半ハウジング１１０と第１の半ハウジング上で旋回自在な第２半ハウジング１７０とで構成されたハウジング、および、ハウジングに収容された電路部材１６０を含む。光源ユニットは、ベース１０の第２半ハウジング１７０に取り付けられている。第１半ハウジング１１０は、外部電源に接続された電源配線７０と電路部材１６０とを電気的に接続するための入力ポート１１９を有する。第２半ハウジング１７０は、光源ユニットと電路部材１６０とを電気的に接続するための出力ポート１７８を有する。【選択図】図２
2014186929.tif 000002
【特許請求の範囲】
【請求項１】
第１の半ハウジングと前記第１の半ハウジングに被せられ前記第１の半ハウジング上で旋回自在な第２の半ハウジングとで構成されたハウジング、および、前記ハウジングに収容された電路部材を含むベースと、
前記ベースの前記第２の半ハウジングに取り付けられた光源ユニットと、を備え、
前記第１の半ハウジングは、外部電源に接続された電源配線と前記電路部材とを電気的に接続するための入力ポートを有し、前記第２の半ハウジングは、前記光源ユニットと前記電路部材とを電気的に接続するための出力ポートを有する、
照明装置。
【請求項２】
前記入力ポートおよび前記出力ポートがそれぞれ、前記第２の半ハウジングの旋回軸から離れた位置にあり、
前記電路部材は、前記入力ポートと前記出力ポートとを接続する一対の配線を有し、各配線が伸縮自在のカールコードからなる、請求項１に記載の照明装置。
【請求項３】
前記ハウジングは、前記第２の半ハウジングの旋回軸を中心軸とする円環形状であり、
前記一対の配線の一方が前記入力ポートから前記出力ポートまで時計回りに配され、
前記一対の配線の他方が前記入力ポートから前記出力ポートまで反時計回りに配されている、
請求項２に記載の照明装置。
【請求項４】
前記電路部材は、
前記入力ポートおよび前記出力ポートの一方に接続され、前記第２の半ハウジングの旋回軸を中心とする、一対の径の異なる円環状の第１導電部材と、
前記入力ポートおよび前記出力ポートの他方に接続され、前記一対の円環状の第１の導電部材の各々に対して摺動可能な一対の第２導電部材と、を有する、
請求項１に記載の照明装置。
【発明の詳細な説明】
【技術分野】
【０００１】
本発明は、光源ユニットがベースに取り付けられた照明装置に関する。
【背景技術】
【０００２】
従来から、白熱電球、蛍光灯またはＬＥＤ（Light Emitting Diode）を含む光源ユニットを用いたデスクスタンドが普及している。図１０に、特許文献１に開示されたデスクスタンドの外観図を示す。デスクスタンド９０１は、ベース９１０、アーム９２０、ヘッド９３０、操作部９６０、および、電源配線９７０を備える。アーム９２０は、第１アーム９２１および第２アーム９２２からなる。ヘッド９３０と第１アーム９２１は、ヒンジ９２３で連結され、第１アーム９２１と第２アーム９２２は、ヒンジ９２４で連結されている。これにより、ヘッド９３０の高さおよび向きを調節することができる。ヘッド９３０は、ハウジング９３１と、これに収容された光源ユニット９４０を含む。この例では、光源ユニット９４０として蛍光灯が採用されている。電源配線９７０は、第２アームの背後（操作部９６０の反対側）から引き出され、外部電源に接続される。
【先行技術文献】
【特許文献】
【０００３】
【特許文献１】特開２０１２−８９４２９号公報
【発明の概要】
【発明が解決しようとする課題】
【０００４】
さらに利便性を高めるために、光源ユニットをベースに対して旋回自在な構成を採用することが考えられる。例えば、特許文献１を例に挙げれば、第２アームをその長手方向を中心軸としてベースに対して旋回自在にすれば、光源ユニットがベースに対して旋回自在な構成を実現することができる。
しかしながら、この例では、第２アームをベースに対して旋回自在とすると、それに伴い電源配線も旋回してしまう。電源配線が旋回すると、机上に置かれた物が電源配線で押し倒されたり、電源配線のプラグがコンセントから外れたりするおそれがある。
【０００５】
本発明は、光源ユニットがベースに旋回自在に取り付けられた照明装置において、光源ユニットの旋回に伴う電源配線の旋回を防止することを目的とする。
【課題を解決するための手段】
【０００６】
照明装置は、第１の半ハウジングと第１の半ハウジングに被せられ第１の半ハウジング上で旋回自在な第２の半ハウジングとで構成されたハウジング、および、ハウジングに収容された電路部材を含むベースと、ベースの第２の半ハウジングに取り付けられた光源ユニットとを備える。第１の半ハウジングは、外部電源に接続された電源配線と電路部材とを電気的に接続するための入力ポートを有する。第２の半ハウジングは、光源ユニットと電路部材とを電気的に接続するための出力ポートを有する。
【０００７】
また、電路部材は、入力ポートと出力ポートとを接続する一対の配線を有し、各配線が伸縮自在のカールコードからなることとしてもよい。
また、ハウジングは、第２の半ハウジングの旋回軸を中心軸とする円環形状であり、一対の配線の一方が前記入力ポートから出力ポートまで時計回りに配され、一対の配線の他方が入力ポートから出力ポートまで反時計回りに配されていることとしてもよい。
【０００８】
また、電路部材は、入力ポートおよび出力ポートの一方に接続され、第２の半ハウジングの旋回軸を中心とする、一対の径の異なる円環状の第１導電部材と、入力ポートおよび出力ポートの他方に接続され、一対の円環状の第１の導電部材の各々に対して摺動可能な一対の第２導電部材と、を有することとしてもよい。
【発明の効果】
【０００９】
上記構成によれば、光源ユニットが第２のハウジングに取り付けられ、かつ、第２のハウジングが第１の半ハウジングに対して旋回自在なので、光源ユニットが第１の半ハウジングに対して旋回自在となる。また、電源配線が接続される入力ポートが第１の半ハウジングに存在するので、光源ユニットが旋回したとしても、それに伴い電源配線が旋回することはない。従って、光源ユニットがベースに旋回自在に取り付けられた照明装置において、光源ユニットの旋回に伴う電源配線の旋回を防止することができる。
【図面の簡単な説明】
【００１０】
【図１】本発明の第１の実施形態に係るデスクスタンドの外観図
【図２】ベースを上方から見た分解斜視図
【図３】ベースの一部切欠き図
【図４】光源ユニットが旋回したときのベース内の様子を示す模式図であり、（ａ）は標準状態、（ｂ）は光源ユニットが標準状態から反時計回りに旋回した状態、（ｃ）は光源ユニットが標準状態から時計回りに旋回した状態
【図５】デスクスタンドの入力ポート付近の外観の拡大図
【図６】本発明の第２の実施形態に係るベースを上方から見た分解斜視図
【図７】ベースの一部切欠き図
【図８】光源ユニットが旋回したときのベース内の様子を示す模式図であり、（ａ）は標準状態、（ｂ）は光源ユニットが標準状態から反時計回りに旋回した状態、（ｃ）は光源ユニットが標準状態から時計回りに旋回した状態
【図９】変形例に係るベースの上面図
【図１０】特許文献１に開示されたデスクスタンドの外観図
【発明を実施するための形態】
【００１１】
本発明を実施するための形態を、図面を参照して詳細に説明する。
［第１の実施形態］
図１に本発明の第１の実施形態に係るデスクスタンドの外観図を示す。デスクスタンド１は、ベース１０、アーム２０、ヘッド３０、操作部６０、および、電源配線７０を備える。
【００１２】
ベース１０は、円環状であり、固定部１１と旋回部１２とを有する。旋回部１２は、固定部１１に対して円環の中心軸回りに旋回自在に設けられている。電源配線７０は、固定部１１の背後から引き出されている。
アーム２０は、第１アーム２１と第２アーム２２とを有する。第１アーム２１と第２アーム２２は、ヒンジ２３で屈曲自在に連結され、第２アーム２２とベース１０は、ヒンジ２４で屈曲自在に連結されている。操作部６０は、第２アーム２２に設けられている。
【００１３】
ヘッド３０は、円盤状であり、ハウジング３１と光源ユニット４０とを有する。光源ユニット４０は、電源配線７０に接続されており、操作部６０で受け付けられた操作に応じて点灯する。光源ユニット４０には、例えば、白熱電球、蛍光灯、ＬＥＤなどが利用できる。
デスクスタンド１がヒンジ２３、２４を有しているので、光源ユニット４０の高さおよび向きを自在に調節することができる。また、デスクスタンド１が旋回部１２を有しているので、光源ユニット４０の旋回角を自在に調節することができる。
【００１４】
図２は、ベースを上方から見た分解斜視図であり、図３は、ベースの一部切欠き図である。ベース１０は、第１半ハウジング１１０、重り（weight）１２０、第１レール１３０、摺動リング１４０、第２レール１５０、電路部材１６０および第２半ハウジング１７０を備える。固定部１１は、第１半ハウジング１１０、重り１２０、第１レール１３０および第２レール１５０から構成される。旋回部１２は、第２半ハウジング１７０および摺動リング１４０から構成される。
【００１５】
第１半ハウジング１１０は、円環状の底板１１１と、円筒状の内周壁１１２と、円筒状の外周壁１１３とを有する。底板１１１には、電源配線７０の先端に設けられたアダプタ７１を挿通するための貫通孔１１４が設けられている。貫通孔１１４にアダプタ７１が挿通されることにより、電源配線７０と電路部材１６０とを電気的に接続するための入力ポート１１９が構成される。底板１１１には、周方向に等間隔に６個のネジ挿通用の貫通孔１１５が設けられている。第１半ハウジング１１０の材料としては、例えば、ＰＣ（ポリカーボネート）等の樹脂材料を利用することができる。
【００１６】
重り１２０は、円環状である。重り１２０には、アダプタ７１を挿通するための貫通孔１２１が設けられている。また、重り１２０の上面には、円環状の溝部１２２が設けられている。溝部１２２の底面には、周方向に等間隔に６個の貫通孔１２３が設けられている。重り１２０は、第１半ハウジング１１０内に収容される。このとき、重り１２０の各貫通孔１２３と第１半ハウジング１１０の各貫通孔１１５とが位置合わせされる。重り１２０の材料としては、例えば、スチール等の金属材料を利用することができる。
【００１７】
第１レール１３０は、円環状のレール１３１と脚部１３２とを有する。脚部１３２は、レール１３１の下面に周方向に等間隔に６本立設されている。レール１３１は重り１２０の溝部１２２に収容され、各脚部１３２が重り１２０の各貫通孔１２３に挿通される。各脚部１３２の下面には雌ネジが設けられている。各脚部１３２が第１半ハウジング１１０の各貫通孔１１５に挿通されたネジでネジ止めされることにより、第１レール１３０が第１半ハウジング１１０に固定される。レール１３１の内周面には、周方向に等間隔に６個の突出片１３３が設けられている。各突出片１３３には、ネジ挿通用の貫通孔１３３ａが設けられている。また、レール１３１の内周面には、さらに、突出片１３４が設けられている。突出片１３４には、アダプタ７１を挿通するための貫通孔１３４ａが設けられている。第１レール１３０の材料としては、摺動性の良好な材料、例えば、ＰＯＭ（ポリアセタール）等の樹脂材料を利用することができる。
【００１８】
摺動リング１４０は、円環状である。摺動リング１４０には、ネジ挿通用の貫通孔１４１が１２個設けられている。摺動リング１４０の材料としては、摺動性の良好な材料、例えば、ＰＯＭ等の樹脂材料を利用することができる。
第２レール１５０は、円環状のレール１５１と脚部１５２とを有する。脚部１５２は、レール１５１の下面に周方向に等間隔に６本立設されている。各脚部１５２は第１レール１３０の各突出片１３３上に載置される。各脚部１５２の下面には雌ネジが設けられている。各脚部１５２が各突出片１３３の貫通孔１３３ａに挿通されたネジでネジ止めされることにより、第２レール１５０が第１レール１３０に固定される。レール１５１の上面には円環状の溝部１５４が設けられている。溝部１５４の底面には、電路部材１６０の固定のための立設片１５５、１５６が設けられ、立設片１５５および立設片１５６の間の位置に貫通孔１５７が設けられている。立設片１５５、１５６は、それぞれ切り込み１５５ａ、１５６ａを有する。第２レール１５０の材料としては、摺動性の良好な材料、例えば、ＰＯＭ等の樹脂材料を利用することができる。
【００１９】
電路部材１６０は、カールコード１６１、１６２と、コネクタ１６３、１６４とを有する。カールコード１６１、１６２は、金属線を絶縁膜で被覆した配線が螺旋状に巻回されたものであり、螺旋軸に沿う方向に伸縮自在である。カールコード１６１は、コネクタ１６３からコネクタ１６４まで反時計回りに配されている。カールコード１６１の一端には固定ブロック１６５が設けられ、他端には固定ブロック１６６が設けられている。固定ブロック１６５、１６６は、局所的に幅の狭い幅狭部を有する。固定ブロック１６５の幅狭部が第２レール１５０の立設片１５５の切り込み１５５ａに差し込まれることで、カールコード１６１の一端が第２レール１５０に固定される。また、カールコード１６２は、コネクタ１６３からコネクタ１６４まで時計回りに配されている。カールコード１６２の一端には固定ブロック１６７が設けられ、他端には固定ブロック１６８が設けられている。固定ブロック１６７、１６８の構造は、固定ブロック１６５、１６６の構造と同じである。固定ブロック１６７の幅狭部が第２レール１５０の立設片１５６の切り込み１５６ａに差し込まれることで、カールコード１６２の一端が第２レール１５０に固定される。コネクタ１６３は、第２レール１５０の貫通孔１５７に挿入され、アダプタ７１に電気的に接続される。
【００２０】
第２半ハウジング１７０は、円環状の天板１７１と、円筒状の内周壁１７２と、円筒状の外周壁１７３とを有する。第１半ハウジング１１０とこれに被せられた第２半ハウジングとでハウジングが構成される。天板１７１の上面には、ヒンジ２４を構成するための中空の箱部１７４が設けられている。箱部１７４の上面には、コネクタ１６４を挿通するための貫通孔１７５が設けられている。貫通孔１７５にコネクタ１６４が挿通されることにより、光源ユニット４０と電路部材１６０とを電気的に接続するための出力ポート１７８が構成される。天板１７１の下面には、電路部材１６０の固定のための立設片１７６、１７７が設けられている。立設片１７６、１７７は、それぞれ切り込み１７６ａ、１７７ａを有する。立設片１７６、１７７の構造は、立設片１５５、１５６の構造と同じである。固定ブロック１６６の幅狭部が立設片１７６の切り込み１７６ａに差し込まれることで、カールコード１６１の他端が第２半ハウジング１７０に固定される。また、固定ブロック１６８の幅狭部が立設片１７７の切り込み１７７ａに差し込まれることで、カールコード１６２の他端が第２半ハウジング１７０に固定される。また、天板１７１の下面に１２箇所の雌ネジが設けられている（不図示）。天板１７１の下面の各雌ネジに各貫通孔１４１に挿通されたネジでネジ止めされることにより、摺動リング１４０が第２半ハウジング１７０に固定される。第２半ハウジングの材料としては、例えば、ＰＣ等の樹脂材料を利用することができる。
【００２１】
図３に示すように、摺動リング１４０の下面の内周側の縁部が凹面１４２となり、上面の内周側の縁部が凹面１４３となっている。凹面１４２は、第１レール１３０の凸面１３５に接触し、凹面１４３は、第２レール１５０の凸面１５３に接触している。このように、摺動リング１４０が第１レール１３０および第２レール１５０で上下方向に挟まれているので、第１半ハウジング１１０と第２半ハウジング１７０とが上下方向に分離することが防止される。また、摺動リング１４０は、第１レール１３０および第２レール１５０に接触しているだけなので、摺動リング１４０は、第１レール１３０および第２レール１５０に対して円環の中心軸回りに旋回自在となっている。即ち、第２半ハウジング１７０が第１半ハウジング１１０に対して円環の中心軸回りに旋回自在となる。
【００２２】
また、図３に示すように、電路部材１６０のカールコード１６１、１６２は、第２レール１５０の溝部１５４内に配置されている。従って、第２半ハウジング１７０が第１半ハウジング１１０に対して旋回するのに伴いカールコード１６１、１６２が伸縮した場合でも、カールコード１６１、１６２の径方向の位置ずれを防止することができる。これにより、カールコード１６１、１６２が固定部分と可動部分との隙間に挟まる等の不具合を防止することができる。
【００２３】
図４は、光源ユニットが旋回したときのベース内の様子を示す模式図であり、（ａ）は標準状態、（ｂ）は光源ユニットが標準状態から反時計回りに旋回した状態、（ｃ）は光源ユニットが標準状態から時計回りに旋回した状態を示す。同図では、光源ユニットの位置は、出力ポート１７８の位置に対応する。
光源ユニットが標準状態から反時計回りに旋回した場合、入力ポート１１９の位置は移動しない（図４（ｂ））。また、光源ユニットが標準状態から時計回りに旋回した場合も、入力ポート１１９の位置は移動しない（図４（ｃ））。このように、入力ポート１１９の位置が移動しないので、光源ユニットが旋回したとしても電源配線７０は旋回しない。このように、本実施の形態では、光源ユニットの旋回に伴う電源配線７０の旋回を防止することができる。
【００２４】
また、仮に、入力ポート１１９および出力ポート１７８のどちらかの位置が旋回軸上にあれば、光源ユニットが旋回したとしても入力ポート１１９と出力ポート１７８との間の距離は変化しない。しかしながら、本実施の形態のように入力ポート１１９および出力ポート１７８のどちらの位置も旋回軸から離れていれば、光源ユニットの旋回に伴い入力ポート１１９と出力ポート１７８の間の距離が変化する。このような場合でも入力ポート１１９と出力ポート１７８の電気的な接続を維持する必要がある。本実施の形態では、電路部材１６０にカールコード１６１、１６２を採用することで、入力ポート１１９と出力ポート１７８の電気的な接続を維持している。例えば、光源ユニットが標準状態から反時計回りに旋回した場合、カールコード１６１が伸張し、カールコード１６２が収縮する（図４（ｂ））。逆に、光源ユニットが標準状態から時計回りに旋回した場合、カールコード１６１が収縮し、カールコード１６２が伸張する（図４（ｃ））。このように、光源ユニットの旋回に伴い入力ポート１１９と出力ポート１７８との間の距離が変化したとしても、入力ポート１１９と出力ポート１７８の電気的な接続が維持される。
【００２５】
なお、図４に示すように、カールコード１６１、１６２は別々の経路に分散して配置されている。これにより、カールコード１６１、１６２を同じ経路に配置する場合に比べて、空間の有効利用を図ることができる。
また、図５は、デスクスタンドの入力ポート付近の外観の拡大図である。第１半ハウジング１１０には、電源配線７０を挿入するための切り込み１１６が設けられている。同図に示すように、切り込み１１６の上部に電源配線７０の上側への移動を規制する規制部１１８が設けられている。これにより、電源配線７０が第２半ハウジング１７０に摺れることを防止することができる。また、切り込み１１６の両側に電源配線７０の下側への移動を規制する突起１１７が設けられている。これにより、デスクスタンド１を持ち上げたときに電源配線７０が切り込み１１６から脱落するのを防止することができる。
【００２６】
［第２の実施形態］
第２の実施形態は、主に電路部材の構成が第１の実施形態と異なる。第１の実施形態と同じ構成については同じ符号を付し、説明を省略する。
図６は、ベースを上方から見た分解斜視図であり、図７は、ベースの一部切欠き図である。ベース２１０は、第１半ハウジング１１０、重り１２０、第１レール１３０、摺動リング１４０、第２レール２５０、電路部材２６０および第２半ハウジング２７０を備える。
【００２７】
第２レール２５０は、円環状のレール２５１と脚部２５２とを有する。レール２５１の上面は平坦面となっている。
電路部材２６０は、円環状の絶縁基板２６７と、円環状の導電部材２６１、２６２と、コネクタ２６３、２６４と、短冊状の導電部材２６５、２６６とを有する。絶縁基板２６７は、第２レール２５０の上面に固定される。導電部材２６１、２６２は、互いに径が異なり、円環の中心軸に同心に配置されている。コネクタ２６３は、導電部材２６１、２６２に電気的に接続されている。導電部材２６５、２６６は、それぞれ導電部材２６１、２６２上を摺動可能なように第２半ハウジング２７０に固定されている。コネクタ２６４は、導電部材２６５、２６６に電気的に接続されている。導電部材２６１、２６２、２６５、２６６の材料としては、例えば、銅、アルミニウム等の金属材料を利用することができる。
【００２８】
図８は、光源ユニットが旋回したときのベース内の様子を示す模式図であり、（ａ）は標準状態、（ｂ）は光源ユニットが標準状態から反時計回りに旋回した状態、（ｃ）は光源ユニットが標準状態から時計回りに旋回した状態を示す。
本実施の形態でも、第１の実施形態と同様に、光源ユニットが標準状態から旋回した場合でも、入力ポート１１９の位置が移動しない。従って、光源ユニットの旋回に伴う電源配線７０の旋回を防止することができる。
【００２９】
また、本実施の形態では、電路部材１６０に円環状の導電部材２６１、２６２と、それらの上を摺動可能な導電部材２６５、２６６との組み合わせを採用することで、入力ポート１１９と出力ポート１７８の電気的な接続を維持している。例えば、光源ユニットが標準状態から反時計回りに旋回した場合、導電部材２６５、２６６が導電部材２６１、２６２上を摺動しながら光源ユニットと同様に旋回する（図８（ｂ））。逆に、光源ユニットが標準状態から時計回りに旋回した場合、導電部材２６５、２６６が導電部材２６１、２６２上を摺動しながら光源ユニットと同様に旋回する（図８（ｃ））。このように、光源ユニットの旋回に伴い入力ポート１１９と出力ポート１７８との間の距離が変化したとしても、入力ポート１１９と出力ポート１７８の電気的な接続が維持される。
【００３０】
［変形例］
（１）カールコードの種類
第１の実施形態では、１本の配線を螺旋状に巻回したカールコードを２本用いているが、本発明は、これに限られない。図９に示すように、２本の配線３６１、３６２を纏めて螺旋状に巻回したカールコード３６９を１本用いることとしてもよい。カールコードの本数が減るのでカールコードを第２レールに固定する作業を軽減することができる。
【００３１】
（２）導電部材の形状
第２の実施形態では、導電部材２６１、２６２が円環状であり、導電部材２６５、２６６が短冊状であるが、本発明は、これに限られない。例えば、導電部材２６１、２６２が円環状であり、導電部材２６５、２６６も円環状であることとしてもよい。また、導電部材２６１、２６２が短冊状であり、導電部材２６５、２６６が円環状であることとしてもよい。
【００３２】
（３）ベースの形状
第１および第２の実施形態では、第１半ハウジング１１０と第２半ハウジング１７０とが円環状であるが、本発明は、これに限られない。第２半ハウジングが第１半ハウジングに対して旋回自在に設けられ、第１半ハウジングに入力ポートが設けられ、第２半ハウジングに出力ポートが設けられていれば、同様の効果を奏することができる。即ち、光源ユニットの旋回に伴う電源配線の旋回を防止することができる。例えば、第１半ハウジングが円形の開口を有する箱型であり、第２半ハウジングがその開口を塞ぐ円板型の場合でもよい。
【００３３】
（４）デスクスタンド
第１および第２の実施形態では、ベースが机上に載置されるデスクスタンドを例に挙げて説明しているが、本発明は、これに限られない。例えば、ベースが天井に取り付けられる照明装置でもよい。また、ベースが床上に載置されるフロアスタンドでもよい。
【符号の説明】
【００３４】
１    デスクスタンド
１０    ベース
１１    固定部
１２    旋回部
２０    アーム
３０    ヘッド
４０    光源ユニット
６０    操作部
７０    電源配線
１１０    第１半ハウジング
１１９    入力ポート
１２０    重り
１３０    第１レール
１４０    摺動リング
１５０    第２レール
１６０    電路部材
１７０    第２半ハウジング
１７８    出力ポート
【図１】
2014186929.tif 000003
【図２】
2014186929.tif 000004
【図３】
2014186929.tif 000005
【図４】
2014186929.tif 000006
【図５】
2014186929.tif 000007
【図６】
2014186929.tif 000008
【図７】
2014186929.tif 000009
【図８】
2014186929.tif 000010
【図９】
2014186929.tif 000011
【図１０】
2014186929.tif 000012